(57)【要約】【課題】ゴルフクラブを握った際のフィット感を更に向上させることができるゴルフ用手袋を提供供すること。【解決手段】手甲部２及び掌部３とよりなる本体部１０と、親指を覆う親指部４とを連結してなるゴルフ用手袋１である。親指部４は、親指の甲側を覆う親指外面部４１と、親指の掌側を覆う親指内面部４２とを組み合わせて本体部１０に接合してなる。親指外面部４１と本体部１０との接合部分の少なくとも一部には、伸縮性に優れた外側伸縮部５を介在させている。親指外面部４１は、親指の甲側の手首側開口端まで延長されていることが好ましい。外側伸縮部５は、親指外面部４１と本体部１０との接合部分の全長に渡って介在していることが好ましい。親指外面部４１と親指内面部４２との接合部分の少なくとも一部には、伸縮性に優れた内側伸縮部を介在させていることが好ましい。【選択図】図１
2007143831.tif 000002
【特許請求の範囲】
【請求項１】
手の甲側を覆う手甲部及び掌側を覆う掌部とよりなる本体部と、親指を覆う親指部とを連結してなるゴルフ用手袋において、
上記親指部と上記本体部との接合部分の少なくとも一部には、両者のいずれよりも伸縮性に優れた外側伸縮部を介在させていることを特徴とするゴルフ用手袋。
【請求項２】
請求項１において、上記親指部は、親指の甲側を覆う親指外面部と、親指の掌側を覆う親指内面部とを組み合わせて上記本体部に接合してなり、上記親指外面部と上記本体部との接合部分の少なくとも一部に、上記外側伸縮部を介在させていることを特徴とするゴルフ用手袋。
【請求項３】
請求項２において、上記親指外面部は、親指の甲側の手首側開口端まで延長されていることを特徴とするゴルフ用手袋。
【請求項４】
請求項２又は３のいずれか１項において、上記外側伸縮部は、上記親指外面部と上記本体部との接合部分の全長に渡って介在していることを特徴とするゴルフ用手袋。
【請求項５】
請求項２〜４のいずれか１項において、上記親指外面部と上記親指内面部との接合部分の少なくとも一部には、両者のいずれよりも伸縮性に優れた内側伸縮部を介在させていることを特徴とするゴルフ用手袋。
【発明の詳細な説明】
【技術分野】
【０００１】
本発明は、フィット感に優れたゴルフ用手袋に関する。
【背景技術】
【０００２】
ゴルフ用手袋は、天然皮革、人工皮革あるいは合成皮革等を裁断して形成した複数の部材を縫い合わせて接合することにより作製される。
従来の一般的なゴルフ用手袋は、例えば、図７、図８に示すごとく、手の甲側を覆う手甲部９２と、掌側を覆う掌部９３とを一体的に有するメイン部材９０を、境界線Ｓ１において折り重ねると共に、親指部９４を境界線Ｓ２において折り重ね、これらとハギ部（後述する図４参照）とを縫い合わせることにより作製される。
【０００３】
従来のゴルフ用手袋は、上述した例のように、手甲部９２と掌部９３とを同一素材とし、さらに、親指部９４も同一素材とする場合が多かった。しかし、近年のゴルフ用手袋に求められる特性の多様化にともなって、特許文献１〜３に示されたように、手甲部９２と掌部９３とを別部品化し、さらに、親指部９４を親指外面部９４１と親指内面部９４２とに分離して別部品化し、各部品を必要に応じて異なる素材にすることが行われるようになってきた。
【０００４】
ゴルフ用手袋に対しては、様々な特性が求められているが、装着してゴルフクラブを握った際のフィット感が全体的に良好であるという特性は、常に要求される。とりわけ親指部分のフィット感は非常に重要である。
これまでのゴルフ用手袋においても様々な改善がなされてきたが、これまで以上に親指部のフィット感を向上することが今なお求められている。
【０００５】
【特許文献１】特開平１１−１８８１２９号公報
【特許文献２】特開平１１−１８８１３０号公報
【特許文献３】特開２００１−２１２２７８号公報
【発明の開示】
【発明が解決しようとする課題】
【０００６】
本発明は、かかる従来の問題点に鑑みてなされたもので、ゴルフクラブを握った際のフィット感を更に向上させることができるゴルフ用手袋を提供しようとするものである。
【課題を解決するための手段】
【０００７】
本発明は、手の甲側を覆う手甲部及び掌側を覆う掌部とよりなる本体部と、親指を覆う親指部とを連結してなるゴルフ用手袋において、
上記親指部と上記本体部との接合部分の少なくとも一部には、両者のいずれよりも伸縮性に優れた外側伸縮部を介在させていることを特徴とするゴルフ用手袋にある（請求項１）。
【０００８】
本発明のゴルフ用手袋は、上記のごとく、親指部と本体部との接合部分の少なくとも一部に、上記外側伸縮部を介在させている。すなわち、上記親指外面部と本体部との接合部分の少なくとも一部には、両者を直接接合するのではなく、両者の間に上記外側伸縮部を介在させた部分を設ける。
【０００９】
上記のような構造を採用することにより、上記ゴルフ用手袋を装着してゴルフクラブを握った場合に、上記親指部と上記本体部との間に介在させた上記外側伸縮部が自由に伸縮し、親指部と本体部との間の間隔を最適な状態に維持することができる。そのため、上記ゴルフ用手袋を装着した手でゴルフクラブを握った際には、親指部における突っ張り感などが適度に緩和され、楽にグリップできる感覚が得られる。
このように、本発明のゴルフ用手袋は、ゴルフクラブを握った際の親指部のフィット感が従来よりも優れたものとなる。
【発明を実施するための最良の形態】
【００１０】
本発明のゴルフ用手袋では、上記のごとく、親指部と本体部との接合部の少なくとも一部に上記外側伸縮部を介在させる。この外側伸縮部としては、親指部及び本体部よりも伸縮性に優れた素材を採用する。すなわち、上記親指部及び本体部よりも、弱い力で容易に伸び、しかも伸ばす力が解除されれば容易に元の状態に縮む特性を有する素材を採用する。具体的な素材としては、例えば、ナイロン・ポリウレタン製、ポリエステル・ポリウレタン製の縦メリヤス編みの生地などがある。具体的な商品名としては、東洋紡製のウオーターマスター、旭化成製のロイカ等があげられる。勿論、これらの素材に限定する必要はない。
【００１１】
また、上記親指部、手甲部、掌部及びその他必要な部材については、これまで知られている様々な素材を採用しうる。この素材としては、天然皮革、人工皮革、合成皮革等がある。
【００１２】
また、上記親指部は、親指の甲側を覆う親指外面部と、親指の掌側を覆う親指内面部とを組み合わせて上記本体部に接合してなり、上記親指外面部と上記本体部との接合部分の少なくとも一部に、上記外側伸縮部を介在させていることが好ましい（請求項２）。この場合には、上記親指部を親指外面部と親指内面部とに分けて構成することにより、両者の素材としてそれぞれの部位に最適な別の素材を選択することが可能となり、ゴルフ用手袋の総合的な性能を更に向上させることができる。そして、この場合には、親指部を構成する上記親指外面部と本体部との間に上記外側伸縮部を介在させる。
【００１３】
また、上記親指外面部は、親指の甲側の手首側開口端まで延長されていることが好ましい（請求項３）。この場合には、上記親指外面部と本体部との接合部分の長さを長く設定することができ、上記外側伸縮部の配設位置の自由度を高めることができる。
【００１４】
また、上記外側伸縮部は、上記親指外面部と上記本体部との接合部分の全長に渡って介在していることが好ましい（請求項４）。この場合には、上記外側伸縮部を介在させることによる効果を高めることができる。特に、上記のごとく、親指外面部が手首側開口端まで延長されている場合に、親指外面部と本体部との接合部分全長に上記外側伸縮部を介在させることにより、突っ張り感低減効果を最大限発揮させることができる。
【００１５】
また、上記親指外面部と上記親指内面部との接合部分の少なくとも一部には、両者のいずれよりも伸縮性に優れた内側伸縮部を介在させていることが好ましい（請求項５）。この場合には、上述した外側伸縮部の効果と相俟って、さらに親指のフィット感を高めることができる。なお、内側伸縮部の素材としては、外側伸縮部の場合と同様の素材を採用することができる。
【実施例】
【００１６】
（実施例１）
本発明の実施例に係るゴルフ用手袋につき、図１〜図６を用いて説明する。
本発明のゴルフ用手袋１は、図１、図２に示すごとく、手の甲側を覆う手甲部２及び掌側を覆う掌部３とよりなる本体部１０と、親指を覆う親指部４とを連結して構成してなる。
上記親指部４は、親指の甲側を覆う親指外面部４１と、親指の掌側を覆う親指内面部４２とを組み合わせて構成して上記本体部１０に接合してなり、親指外面部４１と本体部１０との接合部分の少なくとも一部には、両者のいずれよりも伸縮性に優れた外側伸縮部５を介在させている。
さらに、上記親指外面部４１と親指内面部４２との接合部分の少なくとも一部には、両者のいずれよりも伸縮性に優れた内側伸縮部６を介在させている。
以下、これを詳説する。
【００１７】
まず、本例のゴルフ用手袋１を作製するために用いる各部の部品について説明する。
本体部１０を構成する手甲部２は、図３（ａ）に示すごとく、甲本体部２０と、親指を除く４本の指の甲側の面となる甲指部２１１〜２１４とを有するものである。なお、この手甲部２としては、上記の各部を分割してさらに小部品とし、これらの小部品を接合したものとしてもよい。また、この手甲部２には、通気性を確保するための貫通穴２９を多数設けてある。
【００１８】
また、同じく本体部１０を構成する掌部３は、図３（ｆ）に示すごとく、掌本体部３０と、親指を除く４本の指の掌側の面となる掌指部３１１〜３１４とを有するものである。また、掌本体部３０には、親指部４を接合するための親指用切り欠き部３４を設けてある。なお、この掌部３としても、上記の各部を分割してさらに小部品とし、これらの小部品を接合したものとしてもよい。
また、上記手甲部２の構成と掌部３の構成とは、例えば、手甲部２の一部を削除して掌部３の一部とする、あるいはその逆をするなどして変更することも可能である。
【００１９】
図４には、上記本体部１０を組み合わせる際に用いるハギ部７１〜７６を示す。これらは、甲指部２１１〜２１４と、掌指部３１１〜３１４との間に介在させる部品であり、各指の厚み寸法を確保するためのものである。また、これらの部品は、隣同士連結された一体部品に変えることも可能である。
【００２０】
次に、上記親指部４は、図３（ｃ）（ｅ）に示すごとく、親指外面部４１と親指内面部４２とを組み合わせて構成されている。
本例の親指外面部４１は、図１、図３（ｃ）に示すごとく、親指の甲側の手首側開口端１９まで延長された形状を有している。また、この親指外面部４１にも、通気性を確保するための貫通穴４９を多数設けてある。
【００２１】
また、親指内面部４２は、図３（ｅ）に示すごとく、基本形状は従来と同様に、上記掌部３の親指用切り欠き部３４との接合が容易な形状を呈しているが、本例では、特に、基端側に内側伸縮部用切り欠き部４６を設けた。
【００２２】
また、図３（ｂ）には、外側伸縮部５の素材形状を示し、図３（ｄ）には、内側伸縮部６の素材形状を示してある。これらの素材としては、いずれも、伸縮性に優れたポリウレタン繊維を採用した。
また、上述した手甲部２、掌部３、親指外面部４１、及び親指内面部４２は、公知の天然皮革、人工皮革、合成皮革等から選択した素材を採用した。これら手甲部２、掌部３、親指外面部４１、及び親指内面部４２のいずれの素材よりも、上記外側伸縮部５及び内側伸縮部６の素材の方が伸縮性に優れるものである。
【００２３】
次に、上記各部材の縫製による連結は次のように行う。なお、連結する順序は勿論変更可能である。
本例では、まず、図５に示すごとく、手甲部２と親指外面部４１とを、外側伸縮部５を介して接合する。具体的には、手甲部２の親指側端部２５と親指外面部４１の手甲側端部４１５とを、外側伸縮部５の表面側の配置線Ｓ３（図３（ｂ））に合わせて配置し、縫製部７２５、７４１において縫製することにより接合する。
【００２４】
また、図６に示すごとく、親指内面部４２の内側伸縮部用切り欠き部４６の裏側に、上記内側伸縮部６を重ね合わせ、縫製部７４６において縫製することにより、親指内面部４２と内側伸縮部６とを接合する。
【００２５】
次に、上記親指内面部４２を掌部３の親指用切り欠き部３４に配置し、縫製部７３４において縫製することにより接合する。
次に、上記手甲部２と掌部３とは、指の部分を上記ハギ部７１〜７６を介して縫製により連結すると共に、親指外面部４１と親指内面部４２を縫製により一体化することにより、ゴルフ用手袋１の主要部分が完成する。
【００２６】
この状態において、図１に示すごとく、親指外面部４１と本体部１０（手甲部２及び掌部３）との接合部分には、外側伸縮部５が介在している構造が得られる。また、図２に示すごとく、親指外面部４１と親指内面部４２との接合部分には、内側伸縮部６が介在している構造が得られる。
【００２７】
なお、図１、図２における縫製部１８は、手首部分等を適度に締め付けるためのゴム部材を内部に縫いつけるためのものであり、これを実施する工程は、上記工程のうち適当なタイミングで行われる。
また、本例のゴルフ用手袋１には、手甲部２の開口部を止めるための止め具１２等を従来と同様に縫いつけると共に、手首側端部等に、縁取り部材１３を縫いつける。その他、従来と同様の作業を行うことによって、図１、図２に示す本例のゴルフ用手袋１が完成する。
【００２８】
次に、本例のゴルフ用手袋１における作用効果について説明する。
本例のゴルフ用手袋１は、上記のごとく、親指部４を親指外面部４１と親指内面部４２という別部材により構成して本体部１０に対して接合してある。そして、親指外面部４１と本体部１０との接合部分の少なくとも一部に、上記外側伸縮部を介在させている。これにより、ゴルフ用手袋１を装着してゴルフクラブを握った場合に、親指外面部４１と本体部１０との間に介在させた外側伸縮部５が自由に伸縮し、親指外面部４１と本体部１０との間の間隔を最適な状態に維持することができる。そのため、ゴルフ用手袋１を装着した手でゴルフクラブを握った際には、親指部４における突っ張り感などが適度に緩和され、楽にグリップできる感覚が得られる。
【００２９】
特に、本例では、上記親指外面部４１を、親指の甲側の手首側開口端まで延長した形状にしてある。これにより、親指外面部４１と本体部１０との接合部分の長さを長く設定することができる。その上で、本例では、外側伸縮部５を、親指外面部４１と本体部１０との接合部分の全長に渡って介在させている。この構造を採用することにより、外側伸縮部５による突っ張り感低減効果を最大限発揮させることができる。
【００３０】
さらに、本例では、親指外面部４１と親指内面部４２との接合部分の一部に、両者のいずれよりも伸縮性に優れた内側伸縮部６を介在させている。これにより、上述した外側伸縮部５の効果と相俟って、さらに親指のフィット感を高めることができる。すなわち、本例のゴルフ用手袋１は、ゴルフクラブを握った際のフィット感を従来よりも向上させ他ものとなる。
【図面の簡単な説明】
【００３１】
【図１】実施例１における、ゴルフ用手袋の手甲部側から見た斜視図。
【図２】実施例１における、ゴルフ用手袋の掌部側から見た斜視図。
【図３】実施例１における、（ａ）手甲部、（ｂ）外側伸縮部、（ｃ）親指外面部、（ｄ）内側伸縮部、（ｅ）親指内面部、（ｆ）掌部を示す説明図。
【図４】実施例１にける、ハギ部を示す説明図。
【図５】実施例１における、手甲部及び親指外面部を外側伸縮部を介して接合した状態を示す説明図。
【図６】実施例１における、親指内面部と内側伸縮部とを接合した状態を示す説明図。
【図７】従来例における、手甲部及び掌部を備えた本体部を示す説明図。
【図８】従来例における、親指部を示す説明図。
【符号の説明】
【００３２】
１  ゴルフ用手袋
２  手甲部
３  掌部
４  親指部
４１  親指外面部
４２  親指内面部
５  外側伸縮部
６  内側伸縮部
【図１】
2007143831.tif 000003
【図２】
2007143831.tif 000004
【図３】
2007143831.tif 000005
【図４】
2007143831.tif 000006
【図５】
2007143831.tif 000007
【図６】
2007143831.tif 000008
【図７】
2007143831.tif 000009
【図８】
2007143831.tif 000010